(57)【要約】  【課題】  本体部内の上部に揚水し、上部から流下する水を循環させるポンプを備えて形成されている室内用の噴水装置において、室内を装飾したり、室内に配置する品物を展示する機能を備えるようにし、置物としての付加価値の高い室内用の噴水装置を提供する。  【解決手段】  本体部１内の上部に揚水し、上部から流下する水を循環させるポンプ２を備えて形成する。上記の本体部１の前面を、写真、押し花、切り花、その他の品物３を展示するための展示部４に形成する。  【選択図】      図１
2008162143.tif 000002
【特許請求の範囲】
【請求項１】
本体部内の上部に揚水し、上部から流下する水を循環させるポンプを備えて形成されている室内用の噴水装置であって、上記の本体部の前面が、写真、押し花、切り花、その他の品物を展示するための展示部に形成されていることを特徴とする室内用の噴水装置。
【請求項２】
請求項１記載の室内用の噴水装置であって、本体部の前面が、展示部に代え、或いは展示部と共に、鏡面を前方に向けたミラーで形成されていることを特徴とする室内用の噴水装置。
【請求項３】
請求項１又は２記載の室内用の噴水装置であって、本体部内に、上部から流下する水を二手に分岐して通す透光性の略菱形状の導水部材が収納され、この導水部材の二股状の上部通水路に開口部が形成され、この上部通水路に連通する逆二股状の下部通水路内に、流下する水を衝突させるための突き出し片が設けられ、上記の本体部内と外部とが連通自在に形成されていることを特徴とする室内用の噴水装置。
【請求項４】
請求項１乃至３の何れかに記載の室内用の噴水装置であって、本体部内に、展示部の品物を後方から照明する光源が設けられていることを特徴とする室内用の噴水装置。
【発明の詳細な説明】
【技術分野】
【０００１】
本発明は室内用の噴水装置に関し、更に詳しくは置物としての商品価値が高くなるよう形成した室内用の噴水装置に関するものである。
【背景技術】
【０００２】
従来この種の装置としては、例えば水噴出用のポンプと、水槽内を照らすＬＥＤと、音を検出するセンサとを備え、このセンサで検出した音が一定レベル以上のとき、ポンプとＬＥＤを制御して水の勢いやＬＥＤの点滅を制御部で制御することを特徴とするものがある（例えば特許文献１参照）。
また従来この種の噴水装置としては、例えば容器内の底にポンプを設け、このポンプで水を循環し、水の動きや流下するときの音で視覚や聴覚を刺激し、またアロマテラピーなどの精神安定作用のある香料の芳香作用で嗅覚を刺激し、癒し効果等を得られるように形成しているものがある（例えば特許文献２参照）。
【０００３】
而して特許文献１、２に係る従来品は、何れも噴水機能に関する改良内容であり、この種の装置に、噴水機能以外の用途や作用効果を施しているものではない。
そのため、例えば部屋が狭かったり、装飾品の置き場所を広くとることができない部屋の場合、従来はこの種の装置が写真立てなどの置き場所の確保を一層難しくさせることもあり、その結果ユーザーの購買意欲を喚起させにくい、という問題があった。
【特許文献１】特開２００５−２８８９８２号公報
【特許文献２】特開２００４−１７０３８号公報
【発明の開示】
【発明が解決しようとする課題】
【０００４】
本発明は、このような従来の実情に鑑み、提案されたものである。
従って本発明の解決しようとする技術的課題は、本体部内の上部に揚水し、上部から流下する水を循環させるポンプを備えて形成されている室内用の噴水装置において、室内を装飾したり、室内に配置する品物を展示する機能を備え、置物としての付加価値が高くなるよう形成した室内用の噴水装置を提供することにある。
【課題を解決するための手段】
【０００５】
本発明は、上記の課題を解決するため、次のような技術的手段を採る。
即ち本発明は、図１等に示されるように、本体部１内の上部に揚水し、上部から流下する水を循環させるポンプ２を備えて形成されている室内用の噴水装置であって、上記の本体部１の前面が、写真、押し花、切り花、その他の品物３を展示するための展示部４に形成されていることを特徴とする（請求項１）。
【０００６】
ここで、写真、押し花、切り花、その他の品物３とは、部屋に飾ったり、室内に展示するための、シート状、或いは立体的な有形物を意味する。展示部４は、具体的には本体部１の前面に、写真等を収納するための収納部材１２を付設したり、或いは本体部１の前面自体を収納箇所に成型することにより実現される。本発明の場合、本体部１は、水の流下現象を見ることができるよう、通常、アクリル樹脂等の樹脂材で透光質に形成されるが、これに限定されるものではない。また本体部１の外形状は、任意である。
【０００７】
而して本発明は、本体部１の前面が、展示部４に代え、或いは展示部４と共に、鏡面を前方に向けたミラーで形成されているのが好ましい（請求項２）。
なぜならこれによると、本発明品を置き鏡（鏡台）として利用でき、鏡を置くための専用のスペースを別途確保する必要がないからである。
【０００８】
また本発明は、本体部１内に、上部から流下する水を二手に分岐して通す透光性の略菱形状の導水部材６が収納され、この導水部材６の二股状の上部通水路６１に開口部６１ａが形成され、この上部通水路６１に連通する逆二股状の下部通水路６２内に、流下する水を衝突させるための突き出し片６２ａが設けられ、上記の本体部１内と外部とが連通自在に形成されているのが好ましい（請求項３）。
なぜならこれによると、水の流れに変化を与えて視覚を刺激でき、流れ落ちるときの音で聴覚を刺激でき、マイナスイオンの発生率を高め、また水に香料を混入したときは芳香の発散を促進でき、この種の諸効果を室内に確実に行き渡らせることができるからである。
【０００９】
ここで、略菱形状とは、導水部材６は、その四辺の長さが等しい場合には限られない、ということを意味する。またここで、本体部１内と外部とが連通自在に形成されている、とは、本体部１内で発生する音や香り、マイナスイオンが外部（室内）に伝わり易くなるよう、本体部１の一部が開口可能に形成されている、ということを意味する。具体的には、例えば手動操作で本体部１の特定部位を開口したり、或いは本体部１の特定部位（例えば天頂部など）が予め開口状に形成されることで達成される。またここで、開口部６１ａは、流下する水が導水部材６の外に流れ出ない構造であれば良く、従って開口部６１ａの孔形状、個数、向き（形成角度）は任意である。また突き出し片６２ａは、水に混合する香料の成分と空気との混合度合を高めて香りの発散やマイナスイオンの発生を促進したり、流下する水を変化させて視覚効果を高めたり、またせせらぎのような擬音を生じさせるためのものであり、その個数、出っ張り寸法、形成角度は、適宜選定されるので良い。
【００１０】
更に本発明は、本体部１内に、展示部４の品物３を後方から照明する光源２２が設けられているのが好ましい（請求項４）。
なぜならこれによると、光源２２の光が、展示されている品物３を映し出し、見る者の美感を刺激し、視覚効果を、一層、高めることができるからである。ここで、光源２２としては、例えば発光ダイオード等の点光源や、蛍光管等の棒状光源、或いは面状の光源等がある。なおこの場合、本発明は、例えば赤色、青色、緑色、黄色等の異なる光を照射できるよう、発光色の異なる光源２２を複数備えて構成されているのが良い。
【発明の効果】
【００１１】
本発明は、このように本体部内の上部に揚水し、上部から流下する水を循環させるポンプを備えて形成されている室内用の噴水装置であって、上記の本体部の前面が、写真、押し花、切り花、その他の品物の展示部に形成されているものである。
従って本発明は、噴水機能に止まらず、室内を装飾したり、また品物の展示機能を備えているから、これによれば置物としての付加価値を高めることができる。
【発明を実施するための最良の形態】
【００１２】
以下、本発明を実施するための最良の形態を説明する。
本発明の噴水装置は、本体部１内の上部に揚水し、上部から流下する水を循環させるポンプ２を備えて形成されている。ポンプ２は、装置が安定するよう本体部１の下部に設けられている。水は、ポンプ２によって本体部１内の下部から上部に汲み上げられ、本体部１内で循環する。この実施形態の場合、水には、香料が混入されている。香料としては、例えば柑橘系やハーブ系などの周知の芳香剤が使用される。
【００１３】
而してこの実施形態の場合、本体部１は、図１等に示されるように、樹脂材でモニター状に形成され、上下動自在の上側部１ａと、品物３の展示部４を前面に有する下側部１ｂとで形成されている。上側部１ａは、左右方向の中央の後側に揚水管５が設けられている。この揚水管５は、中空容器状の上側部１ａ内に上端が開口し、下端は下側部１ｂの貯留水中に配置されている。
【００１４】
また本体部１の下側部１ｂ内には、流下する水を二手に分岐して流すための導水部材６が、この実施形態では縦方向に２個連通状に接続されると共に、本体部１を正面から見て左右方向に３列状に配設されている。この導水部材６は、例えば透光性の樹脂材で、図２、図３に示されるように、略菱形状に形成されている。また上段の導水部材６は、上端の水流入口６ａが本体部１の上側部１ａの底面に、上側部１ａ内と連通するよう接続されている。
【００１５】
また導水部材６は、図示されるように、二股状の上部通水路６１に、開口部６１ａが、この実施形態では縦孔状に形成されている。また導水部材６は、上部通水路６１と連通する逆二股状（上方に二股状に開いている状態）の下部通水路６２内に、流下する水を衝突させるための突き出し片６２ａが設けられている。開口部６１ａと突き出し片６２ａとは、導水部材６を、略菱形状を呈する正面から見て、夫々左右に２個づつ備え、左右対称状に形成されている。
【００１６】
而して導水部材６と上記の揚水管５の下端は、蛇腹状や解放状に形成され、本体部１の上側部１ａが持ち上げられると、揚水管５と導水部材６とを一緒に所定の高さだけ持ち上げることができるよう、本体部１の上側部１ａに接続されている。そしてこの実施形態の本発明では、上側部１ａが持ち上げられると、下側部１ｂとの間に隙間ができ、外部と連通するよう構成されている。
【００１７】
７（図４〜図７参照）は、本体部１の上側部１ａが、下側部１ｂから抜き取られるのを防止するためのストッパーである。このストッパー７は、下側部１ｂの背面板８に固定されている。また９は、上側部１ａの左右の端部に、夫々垂下状に設けられている側板である。この側板９の内面には、係止片１０が内方に向けられて突き出され、この係止片１０が上側部１ａを持ち上げたとき、ストッパー７に衝止することで、上側部１ａの抜脱が防止されるよう形成されている。
【００１８】
また１１（図６、図７参照）は、持ち上げた本体部１の上側部１ａを任意の位置に保持し、その落下を防止する落下防止手段である。この落下防止手段１１は、側板９の後側に、縦方向に所定の長さ形成されている側面視で鋸歯状の一方の係合部１１ａと、この一方の係合部１１ａと対応する背面板８の所定位置に、縦方向に所定の長さ形成されている側面視で鋸歯状の他方の係合部１１ｂとで形成されている。一方の係合部１１ａは、図７に示されるように、側方から見て鋸歯の下辺が水平に形成され、他方の係合部１１ｂは側方から見て鋸歯の上辺が水平に形成されている。これにより、一方の係合部１１ａの鋸歯が、他方の係合部１１ｂの鋸歯に係止されるものである。
【００１９】
而して本発明は、上記の通り、本体部１の下側部１ｂの前面が、写真、押し花、切り花、その他の品物３の展示部４に形成されている。この展示部４は、この実施形態では下側部１ｂの平面状の前面に、写真等を収納するための収納部材１２（図１、図８等参照）が止め具１３で取り付けられることにより実現されている。収納部材１２は、例えば図１１に示されるように、下辺部の内側に、切り花などを横並び状に挿すための柔軟質材１４を備えている。この柔軟質材１４には、切り花などを挿し易くするための孔１４ａが、長手方向に沿って一定の間隔をあけて複数形成されている。
【００２０】
また図１２に示される収納部材１２は、前面が透明プレート１５で覆われて複層ガラス状に形成され、内部に写真やシート状の品物３が収納可能に構成されている。本発明品は、このような収納部材１２を、単独、或いは複数重ね合わせて本体部１としての下側部１ｂの前面に、止め具１３で、例えば四隅が止め付けられることにより実現される。この場合、収納部材１２は、この実施形態では図８、図９等に示されるように、下側部１ｂの傾斜状の前面に密着するよう、上側が後方に傾けられて取り付けられている。
【００２１】
また止め具１３は、この実施形態では収納部材１２の着脱がワンタッチで可能になるよう形成されている。具体的には、図１４に示されるように、収納部材１２が押し込まれると、収納部材１２の四隅に前後方向にあけられている貫通孔１６によって矢尻状の先端１７ａが平伏状に変形し、収納部材１２が完全に押し込まれ、先端１７ａが貫通孔１６から抜け出て収納部材１２の前側に露出すると復元する板バネ１７を備えて形成されている。なお止め具１３の構成は、これに限定されるものではない。即ち止め具１３は、その他、例えば図１５に示されるように、軸１８に、鋼球等のボール１９をコイルバネ２０で出没可能に保持させ、ボール１９が係合する半球状の凹部２１を、収納部材１２の貫通孔１６の内面に形成することで実現されるのでも良い。また止め具１３は、単に通常の螺子が使用されるのでも良い。
【００２２】
また２２（図３参照）は、展示部４の品物３を後方から照明する光源である。この光源２２は、この実施形態では発光色の異なる複数の発光ダイオードで構成され、品物３と共に、導水部材６内を流れる水を照明できるよう、本体部１内の下部に設けられている。
【００２３】
次にこの実施形態に係る本発明品の作用を説明する。
先ず使用者は、収納部材１２に、写真や切り花などの品物３を収納する。次にこの状態で、本体部１の上側部１ａを持ち上げる。本体部１の上側部１ａを持ち上げると、上側部１ａと一緒に導水部材６と揚水管５が持ち上げられ、下側部１ｂとの間が開いて本体部１内が外部と連通する。この場合、本体部１の上側部１ａは、係止片１０がストッパー７に係止するため、抜け止めされ、また落下防止手段１１により任意の高さに保持される。
【００２４】
そしてこの状態で使用者が、ポンプ２のスイッチを入れる。すると、水が揚水管５を介して汲み上げられ、この水は揚水管５の上端から上側部１ａ内に入る。そして水は、上側部１ａ内から上段の各導水部材６内に流入して二手に分かれ、導水部材６の上部通水路６１で外側に広がり、下部通水路６２で内側にすぼまるように向きを変え、次いで下段の導水部材６内に流入して同様に流れ、蛇行しながら流下する。
【００２５】
本発明品は、このような水の流れを、透光性の本体部１を介して外から見ることができ、流下する水は、突き出し片６２ａで流れが変化し、その際にせせらぎ音のような擬音が発生し、聴覚を心地良く刺激したり、飛沫化してマイナスイオンを大量に発生させる。また本発明によると、香料の成分と空気との接触、混合が良くなり、香りが発散し易くなる。そしてせせらぎ音やマイナスイオン及び香りなどは、本体部１の上側部１ａと下側部１ｂとの間から外に流れ出て室内に発散する。従って本発明によれば、居住者は、居乍らにして森林浴効果や癒し効果を享受できる。なお上例の本発明の場合は、導水部材６内を水が流れるため、水の蒸発量を低減でき、水の補充回数を抑えることができる。
【００２６】
またこの実施形態に係る本発明品は、光源２２の赤色や緑色等の光線が、水の流れと共に、収納部材１２に収納した品物３を映し出す。そのためこれによると、収納部材１２等が、赤色や緑色等にライトアップされて美しく綺麗になり、また幻想的、神秘的な雰囲気を醸し出し、見る者に感動や感激を与えることができる。
【００２７】
以上の処において、上例では本体部１が上側部１ａと下側部１ｂとで形成され、上側部１ａが持ち上げ可能に構成されているが、本体部１の構成はこれに限定されるものではない。また本発明は、本体部１の前面が、展示部４に代えられて、鏡面を前方に向けたミラーで形成されたり、或いは展示部４と共に、ミラーが設けられているのでも良い。この場合、ミラーの形状や、前面においての配設位置は任意である。
また本発明の場合、導水部材６は、上例のように、縦方向に複数連通状に接続され、開口部６１ａと突き出し片６２ａが、略菱形状を呈する正面から見て左右対称状に形成されているのが好ましい。なぜならこれによると、せせらぎ音やマイナスイオン等を、連続して長く、且つ導水部材６の左右でバランス良く発生させることができるからである。
【図面の簡単な説明】
【００２８】
【図１】本発明装置の好適な一実施形態を示す斜視図である。
【図２】同上装置の一部を切欠した要部斜視図である。
【図３】同上装置の正面図である。
【図４】Ａは一部を切欠した要部正面図、Ｂは上側部を持ち上げた状態の一部を切欠した要部正面図である。
【図５】Ａは図４ＡのＶＡ−ＶＡ線断面図、Ｂは図４ＢのＶＢ-ＶＢ線断面図である。
【図６】Ａ、Ｂとも本体部の一部を切欠した要部正面図である。
【図７】Ａは図６ＡのＶＩＩＡ−ＶＩＩＡ線断面図、Ｂは図６ＢのＶＩＩＢ-ＶＩＩＢ線断面図である。
【図８】同上装置の右側面図である。
【図９】収納部材の取り付け例を示し、Ａは取り付け前の要部右側面図、Ｂは取り付け後の要部右側面図である。
【図１０】同上装置の平面図である。
【図１１】Ａは収納部材の一部を切欠した要部正面図、ＢはＡのＢ−Ｂ線断面図である。
【図１２】Ａは他の収納部材の一部を切欠した要部正面図、ＢはＡのＢ−Ｂ線断面図である。
【図１３】Ａは止め具を説明するための要部正面図、Ｂは要部平面図である。
【図１４】Ａは図１３ＡのＸＩＶＡ−ＸＩＶＡ線断面図、Ｂは収納部材の押し込み時の要部縦断面図、Ｃは押し込み後の要部縦断面図である。
【図１５】他の止め具の例を示し、Ａは要部縦断面図、Ｂは収納部材の押し込み時の要部縦断面図、Ｃは押し込み後の要部縦断面図である。
【符号の説明】
【００２９】
１      本体部
２      ポンプ
３      品物
４      展示部
５      揚水管
６      導水部材
６１    上部通水路
６１ａ  開口部
６２    下部通水路
６２ａ  突き出し片
【図１】
2008162143.tif 000003
【図２】
2008162143.tif 000004
【図３】
2008162143.tif 000005
【図４】
2008162143.tif 000006
【図５】
2008162143.tif 000007
【図６】
2008162143.tif 000008
【図７】
2008162143.tif 000009
【図８】
2008162143.tif 000010
【図９】
2008162143.tif 000011
【図１０】
2008162143.tif 000012
【図１１】
2008162143.tif 000013
【図１２】
2008162143.tif 000014
【図１３】
2008162143.tif 000015
【図１４】
2008162143.tif 000016
【図１５】
2008162143.tif 000017